(57)【特許請求の範囲】
【請求項１】
複数の遊技機が配置された遊技機島内において前記遊技機毎に設置され、前記遊技機に関する情報を表示する遊技機用表示装置であって、
正面側で情報を表示する正面側表示面と、背面側で情報を表示する背面側表示面とを有して、前記正面側表示面と前記背面側表示面とで互いに異なる情報を表示することができるように構成された少なくとも１つの表示部と、
前記正面側表示面と前記背面側表示面の周縁を取り囲む周縁領域の少なくとも一部分に配置されて、前記正面側と前記背面側との間で光を透過することができるように構成された周縁透光部と
を備える遊技機用表示装置。
【請求項２】
請求項１に記載の遊技機用表示装置であって、
少なくとも２つの前記表示部を備え、
少なくとも２つの前記表示部は、それぞれの前記正面側表示面が予め設定された配列方向に沿って配列されるとともに、それぞれの前記背面側表示面が前記配列方向に沿って配列されるように配置され、
前記周縁透光部は、少なくとも、前記配列方向に沿って互いに隣接する２つの前記表示部の間に配置される遊技機用表示装置。
【請求項３】
請求項２に記載の遊技機用表示装置であって、
前記表示部は、前記正面側表示面および前記背面側表示面のそれぞれにおいて１桁の数字を７セグメントで表示する７セグメント表示器である遊技機用表示装置。
【請求項４】
請求項３に記載の遊技機用表示装置であって、
前記正面側表示面には、前記７セグメントのうち４つのセグメントにより囲まれることにより形成されている正面側開口部が形成され、
前記背面側表示面には、前記７セグメントのうち４つのセグメントにより囲まれることにより形成されている背面側開口部が形成され、
前記正面側開口部と前記背面側開口部との間で光を透過することができるように構成された内側透光部を備える遊技機用表示装置。
【請求項５】
請求項１〜請求項４の何れか１項に記載の遊技機用表示装置であって、
前記表示部は、前記表示部に表示させる表示情報を示すデータをシリアル通信で送受信するように構成されたデータ通信部を備え、
データの送受信のために前記表示部に接続される通信線が２本である遊技機用表示装置。
【発明の詳細な説明】
【技術分野】
【０００１】
本開示は、遊技機に関する情報を表示する遊技機用表示装置に関する。
【背景技術】
【０００２】
特許文献１のように、複数の遊技機が配置された遊技機島において、遊技機が設置される設置面から突出するように遊技機の上方に取り付けられて、遊技機に関する情報を表示するプレート型の遊技機用表示装置が知られている。
【先行技術文献】
【特許文献】
【０００３】
【特許文献１】特開２０１０−６３７８６号公報
【発明の概要】
【発明が解決しようとする課題】
【０００４】
特許文献１に記載の遊技機用表示装置では、その表示面が大きくなるほど遊技者の視界を妨げる面積も増大し、遊技者が圧迫感を抱いてしまうおそれがあった。
本開示は、遊技者が抱く圧迫感を軽減する遊技機用表示装置を提供することを目的とする。
【課題を解決するための手段】
【０００５】
本開示の一態様は、複数の遊技機が配置された遊技機島内において遊技機毎に設置され、遊技機に関する情報を表示する遊技機用表示装置であって、少なくとも１つの表示部と、周縁透光部とを備える。
【０００６】
表示部は、正面側で情報を表示する正面側表示面と、背面側で情報を表示する背面側表示面とを有して、正面側表示面と背面側表示面とで互いに異なる情報を表示することができるように構成される。周縁透光部は、正面側表示面と背面側表示面の周縁を取り囲む周縁領域の少なくとも一部分に配置されて、正面側と背面側との間で光を透過することができるように構成される。
【０００７】
このように構成された本開示の遊技機用表示装置は、正面側表示面と背面側表示面とを有しているため、遊技機島において遊技機が設置される設置面から突出するように遊技機の上方に取り付けられた場合に、遊技機で遊技する遊技者は、遊技機用表示装置の正面側と背面側との両方で、遊技機用表示装置が表示する情報を視認することができる。
【０００８】
そして、本開示の遊技機用表示装置は、正面側表示面と背面側表示面の周縁を取り囲む周縁領域の少なくとも一部分において周縁透光部が配置されている。このため、遊技者が遊技機用表示装置の正面側表示面または背面側表示面を見る場合に、遊技者は、正面側表示面または背面側表示面の周辺に配置された周縁透光部を介して、遊技機用表示装置よりも遠くの領域を視認することができる。これにより、本開示の遊技機用表示装置は、遊技者の視界を妨げる面積の増大を抑制し、遊技者が抱く圧迫感を軽減することができる。
【０００９】
本開示の一態様は、少なくとも２つの表示部を備え、少なくとも２つの表示部は、それぞれの正面側表示面が予め設定された配列方向に沿って配列されるとともに、それぞれの背面側表示面が配列方向に沿って配列されるように配置され、周縁透光部は、少なくとも、配列方向に沿って互いに隣接する２つの表示部の間に配置されるようにしてもよい。
【００１０】
このように構成された本開示の遊技機用表示装置では、周縁透光部は、配列方向に沿って互いに隣接する２つの表示部の間に配置されている。このため、遊技者が、配列方向に沿って周縁透光部の両側に配置されている２つの表示部に表示されている情報を視認する場合には、この周縁透光部も同時に視認することになり、遊技者は、周縁透光部を介して、遊技機用表示装置よりも遠くの領域を視認することができる。すなわち、本開示の遊技機用表示装置は、遊技者が互いに隣接する２つの表示部を視認する場合において遊技者の視界を妨げる面積の増大を抑制し、遊技者が抱く圧迫感を軽減することができる。
【００１１】
本開示の一態様は、表示部が、正面側表示面および背面側表示面のそれぞれにおいて１桁の数字を７セグメントで表示する７セグメント表示器であるようにしてもよい。このように構成された本開示の遊技機用表示装置は、遊技機用表示装置の正面側と背面側とで互いに同じ数字を表示することができる。
【００１２】
本開示の一態様は、正面側表示面には、正面側開口部が形成され、背面側表示面には、背面側開口部が形成され、内側透光部を備えるようにしてもよい。正面側開口部および背面側開口部は、７セグメントのうち４つのセグメントにより囲まれることにより形成されている。内側透光部は、正面側開口部と背面側開口部との間で光を透過することができるように構成される。
【００１３】
このように構成された本開示の遊技機用表示装置では、内側透光部が、正面側開口部と背面側開口部との間で光を透過することができるように配置されている。このため、遊技者が、正面側表示面または背面側表示面に表示されている情報を視認する場合には、この内側透光部も同時に視認することになり、遊技者は、内側透光部を介して、遊技機用表示装置よりも遠くの領域を視認することができる。すなわち、本開示の遊技機用表示装置は、表示部を視認する場合において遊技者の視界を妨げる面積の増大を更に抑制し、遊技者が抱く圧迫感を更に軽減することができる。
【００１４】
本開示の一態様は、表示部が、表示部に表示させる表示情報を示すデータをシリアル通信で送受信するように構成されたデータ通信部を備え、データの送受信のために表示部に接続される通信線が２本であるようにしてもよい。このように構成された本開示の遊技機用表示装置は、データの送受信のために必要な通信線によって遊技者の視界を妨げる面積が増大するのを必要最低限に抑制し、遊技者が抱く圧迫感を更に軽減することができる。
【図面の簡単な説明】
【００１５】
【図１】複数の遊技機用表示装置１が遊技機島６００に取り付けられた状態を示す斜視図である。
【図２】遊技機用表示装置１の斜視図である。
【図３】図３（Ａ）は遊技機用表示装置１の正面図、図３（Ｂ）は遊技機用表示装置１の背面図である。
【図４】図４（Ａ）は正面側透光部４１ａ，７１ａを示す遊技機用表示装置１の正面図、図４（Ｂ）は背面側透光部４１ｂ，７１ｂを示す遊技機用表示装置１の背面図である。
【図５】図５（Ａ）は７セグメント表示器２３と配線収容部４２の断面を示す正面図、図４（Ｂ）は図５（Ａ）のＡ−Ａ断面図、図５（Ｃ）は図５（Ａ）のＢ−Ｂ断面図である。
【図６】配線基板１３０、制御回路１５１，１５２および発光体１１１〜１１７の配線図である。
【発明を実施するための形態】
【００１６】
以下に本開示の実施形態を図面とともに説明する。
図１に示すように、複数の遊技機５００が遊技機島６００に設置され、さらに、各遊技機５００の上方には、遊技機用表示装置１が設置されている。
【００１７】
遊技機用表示装置１は、図２に示すように、遊技機５００に関する情報を表示する表示部２と、遊技機島６００の上方に表示部２を取り付けるための取付部材３と、表示部２と取付部材３とを連結する連結部材４とを備える。
【００１８】
表示部２は、７セグ表示部１１、７セグ表示部１２およびランプ部１３を備える。
７セグ表示部１１は、５個の７セグメント表示器２１，２２，２３，２４，２５を備える。
【００１９】
７セグメント表示器２１，２２，２３，２４，２５はそれぞれ、図３（Ａ）に示すように、遊技機用表示装置１の正面側ＦＳに配置された正面側表示面２１ａ，２２ａ，２３ａ，２４ａ，２５ａを備える。また７セグメント表示器２１，２２，２３，２４，２５はそれぞれ、図３（Ｂ）に示すように、遊技機用表示装置１の背面側ＢＳに配置された背面側表示面２１ｂ，２２ｂ，２３ｂ，２４ｂ，２５ｂを備える。
【００２０】
正面側表示面２１ａ〜２５ａと背面側表示面２１ｂ〜２５ｂは、７個のセグメントＳＧ１，ＳＧ２，ＳＧ３，ＳＧ４，ＳＧ５，ＳＧ６，ＳＧ７を８の字状に配列して形成されている。
【００２１】
セグメントＳＧ１〜ＳＧ６は平面視で台形状に形成され、セグメントＳＧ７は平面視で六角形状に形成されている。
台形状に形成されたセグメントＳＧ１の一方の脚と、台形状に形成されたセグメントＳＧ２の一方の脚とが連結される。セグメントＳＧ１の他方の脚とセグメントＳＧ６の一方の脚とが連結される。セグメントＳＧ４の一方の脚と、セグメントＳＧ３の一方の脚とが連結される。セグメントＳＧ４の他方の脚とセグメントＳＧ５の一方の脚とが連結される。そして、セグメントＳＧ２，ＳＧ３，ＳＧ５，ＳＧ６の他方の脚がそれぞれ、六角形状に形成されたセグメントＳＧ７の四辺と連結される。これにより、セグメントＳＧ１〜ＳＧ７が８の字状に配列される。そして、セグメントＳＧ１，ＳＧ２，ＳＧ７，ＳＧ６により囲まれた開口部ＯＰ１と、セグメントＳＧ３，ＳＧ４，ＳＧ５，ＳＧ７により囲まれた開口部ＯＰ２とが形成される。
【００２２】
そして、正面側表示面２１ａ〜２５ａのセグメントＳＧ１と背面側表示面２１ｂ〜２５ｂのセグメントＳＧ１とが互いに対向するように配置される。同様に、正面側表示面２１ａ〜２５ａのセグメントＳＧ４，ＳＧ７と背面側表示面２１ｂ〜２５ｂのセグメントＳＧ４，ＳＧ７とが互いに対向するように配置される。
【００２３】
また、正面側表示面２１ａ〜２５ａのセグメントＳＧ２と背面側表示面２１ｂ〜２５ｂのセグメントＳＧ６とが互いに対向するように配置される。同様に、正面側表示面２１ａ〜２５ａのセグメントＳＧ３，ＳＧ５，ＳＧ６と背面側表示面２１ｂ〜２５ｂのセグメントＳＧ５，ＳＧ３，ＳＧ２とが互いに対向するように配置される。
【００２４】
これにより、正面側表示面２１ａ〜２５ａおよび背面側表示面２１ｂ〜２５ｂは、正面側表示面２１ａ〜２５ａと背面側表示面２１ｂ〜２５ｂとの間において正面側表示面２１ａ〜２５ａと背面側表示面２１ｂ〜２５ｂとからそれぞれ等距離となるように配置された図示しない平面に対して互いに面対称となるように配置される。
【００２５】
そして、７セグメント表示器２１〜２５には、図２に示すように、正面側ＦＳの開口部ＯＰ１から背面側ＢＳの開口部ＯＰ１に向けて７セグメント表示器２１〜２５を貫通する貫通孔ＴＨ１が形成されている。同様に、７セグメント表示器２１〜２５には、正面側ＦＳの開口部ＯＰ２から背面側ＢＳの開口部ＯＰ２に向けて７セグメント表示器２１〜２５を貫通する貫通孔ＴＨ２が形成されている。
【００２６】
７セグメント表示器２１〜２５は、正面側表示面２１ａ〜２５ａのセグメントＳＧ１〜ＳＧ７を独立に点灯または消灯させることにより、０，１，２，３，４，５，６，７，８，９の数字を表示する。同様に７セグメント表示器２１〜２５は、背面側表示面２１ｂ〜２５ｂのセグメントＳＧ１〜ＳＧ７を独立に点灯または消灯させることにより、０，１，２，３，４，５，６，７，８，９の数字を表示する。７セグメント表示器２１〜２５は、正面側表示面２１ａ〜２５ａと背面側表示面２１ｂ〜２５ｂとで互いに同じ数字を表示することができるとともに、互いに異なる数字を表示することができるように構成されている。
【００２７】
そして７セグ表示部１１は、例えば、本日の大当り回数、獲得玉数、スタート回数などを表示する。
７セグ表示部１１は、図３（Ａ）と図３（Ｂ）に示すように、さらに、７セグメント表示器２１〜２５を収容する収容部４０を備える。収容部４０は、表示器収容部４１と、配線収容部４２とを備える。
【００２８】
表示器収容部４１は、透光性を有する部材で、内部が中空とされた長尺板状に形成されている。表示器収容部４１における正面側ＦＳの表面には、図４（Ａ）に示すように、７セグメント表示器２１，２２，２３，２４，２５が収容される５つの矩形状の正面側収容孔ＦＨ１，ＦＨ２，ＦＨ３，ＦＨ４，ＦＨ５が長手方向ＬＤに沿って形成される。同様に、図４（Ｂ）に示すように、表示器収容部４１における背面側ＢＳの表面には、７セグメント表示器２１，２２，２３，２４，２５が収容される５つの矩形状の背面側収容孔ＢＨ１，ＢＨ２，ＢＨ３，ＢＨ４，ＢＨ５が長手方向ＬＤに沿って形成される。
【００２９】
表示器収容部４１は、７セグメント表示器２１〜２５が正面側収容孔ＦＨ１〜ＦＨ５に嵌め込まれるとともに背面側収容孔ＢＨ１〜ＢＨ５に嵌め込まれた状態で、７セグメント表示器２１〜２５を収容する。すなわち、正面側表示面２１ａ〜２５ａは、表示器収容部４１を構成する透光性を有する部材に覆われることなく正面側ＦＳにおいて露出している。同様に、背面側表示面２１ｂ〜２５ｂは、表示器収容部４１を構成する透光性を有する部材に覆われることなく背面側ＢＳにおいて露出している。
【００３０】
これにより、表示器収容部４１は、図４（Ａ）に示すように、正面側表示面２１ａ〜２５ａの周縁を取り囲む周縁領域（すなわち、図４（Ａ）の表示器収容部４１においてハッチングを施している領域）において、光を透過することができるように構成された正面側透光部４１ａを備える。同様に、表示器収容部４１は、図４（Ｂ）に示すように、背面側表示面２１ｂ〜２５ｂの周縁を取り囲む周縁領域（すなわち、図４（Ｂ）の表示器収容部４１においてハッチングを施している領域）において、光を透過することができるように構成された背面側透光部４１ｂを備える。このため、表示器収容部４１は、正面側透光部４１ａと背面側透光部４１ｂを介して、正面側ＦＳと背面側ＢＳとの間で光を透過することができるように構成されている。
【００３１】
また図３（Ａ）に示すように、正面側ＦＳにおいて長手方向ＬＤに沿って正面側表示面２１ａ〜２５ａが整列して配置されるとともに、図３（Ｂ）に示すように、背面側ＢＳにおいて長手方向ＬＤに沿って背面側表示面２１ｂ〜２５ｂが整列して配置される。
【００３２】
配線収容部４２は、図３（Ａ）と図３（Ｂ）に示すように、表示器収容部４１の上側において表示器収容部４１と接触した状態で長手方向ＬＤに沿って延びる部分である。そして配線収容部４２は、その内部に、７セグメント表示器２１〜２５、７セグ表示部１２およびランプ部１３に接続するための配線を収容するための空間が形成されている。
【００３３】
７セグ表示部１２は、図２に示すように、７セグ表示部１１における長手方向ＬＤに沿った一端に連結されており、２個の７セグメント表示器６１，６２を備える。７セグ表示部１２は、例えば、本日の大当り回数、玉箱数、現在の継続数などを表示する。
【００３４】
７セグメント表示器６１，６２はそれぞれ、図３（Ａ）に示すように、遊技機用表示装置１の正面側ＦＳに配置された正面側表示面６１ａ，６２ａを備える。また７セグメント表示器６１，６２はそれぞれ、図３（Ｂ）に示すように、遊技機用表示装置１の背面側ＢＳに配置された背面側表示面６１ｂ，６２ｂを備える。
【００３５】
正面側表示面６１ａ，６２ａおよび背面側表示面６１ｂ，６２ｂは、正面側表示面２１ａ〜２５ａおよび背面側表示面２１ｂ〜２５ｂと同様に、７個のセグメントＳＧ１，ＳＧ２，ＳＧ３，ＳＧ４，ＳＧ５，ＳＧ６，ＳＧ７を８の字状に配列して形成されている。
【００３６】
そして、正面側表示面６１ａ，６２ａおよび背面側表示面６１ｂ，６２ｂは、正面側表示面２１ａ〜２５ａおよび背面側表示面２１ｂ〜２５ｂと同様に、正面側表示面６１ａ，６２ａと背面側表示面６１ｂ，６２ｂとの間において正面側表示面６１ａ，６２ａと背面側表示面６１ｂ，６２ｂとからそれぞれ等距離となるように配置された図示しない平面に対して互いに面対称となるように配置される。
【００３７】
７セグメント表示器６１，６２は、正面側表示面６１ａ，６２ａのセグメントＳＧ１〜ＳＧ７を独立に点灯または消灯させることにより、０，１，２，３，４，５，６，７，８，９の数字を表示する。同様に７セグメント表示器６１，６２は、背面側表示面６１ｂ，６２ｂのセグメントＳＧ１〜ＳＧ７を独立に点灯または消灯させることにより、０，１，２，３，４，５，６，７，８，９の数字を表示する。７セグメント表示器６１，６２は、正面側表示面６１ａ，６２ａと背面側表示面６１ｂ，６２ｂとで互いに同じ数字を表示することができるとともに、互いに異なる数字を表示することができるように構成されている。
【００３８】
また図３（Ａ）に示すように、正面側ＦＳにおいて長手方向ＬＤに沿って正面側表示面６１ａ，６２ａが整列して配置されるとともに、図３（Ｂ）に示すように、背面側ＢＳにおいて長手方向ＬＤに沿って背面側表示面６１ｂ，６２ｂが整列して配置される。
【００３９】
７セグ表示部１２は、さらに、７セグメント表示器６１，６２を収容する収容部７０を備える。収容部７０は、表示器収容部７１と、配線収容部７２とを備える。表示器収容部７１は、透光性を有する部材で、内部が中空とされた円板状に形成されている。
【００４０】
表示器収容部７１における正面側ＦＳの表面には、図４（Ａ）に示すように、７セグメント表示器６１，６２が収容される２つの矩形状の正面側収容孔ＦＨ１１，ＦＨ１２が長手方向ＬＤに沿って形成される。同様に、図４（Ｂ）に示すように、表示器収容部７１における背面側ＢＳの表面には、７セグメント表示器６１，６２が収容される２つの矩形状の背面側収容孔ＢＨ１１，ＢＨ１２が長手方向ＬＤに沿って形成される。
【００４１】
表示器収容部７１は、７セグメント表示器６１，６２が正面側収容孔ＦＨ１１，ＦＨ１２に嵌め込まれるとともに背面側収容孔ＢＨ１１，ＢＨ１２に嵌め込まれた状態で、７セグメント表示器６１，６２を収容する。すなわち、正面側表示面６１ａ，６２ａは、表示器収容部７１を構成する透光性を有する部材に覆われることなく正面側ＦＳにおいて露出している。同様に、背面側表示面６１ｂ，６２ｂは、表示器収容部７１を構成する透光性を有する部材に覆われることなく背面側ＢＳにおいて露出している。
【００４２】
これにより、表示器収容部４１は、図４（Ａ）に示すように、正面側表示面６１ａ，６２ａの周縁を取り囲む周縁領域（すなわち、図４（Ａ）の表示器収容部７１においてハッチングを施している領域）において、光を透過することができるように構成された正面側透光部７１ａを備える。同様に、表示器収容部７１は、図４（Ｂ）に示すように、背面側表示面６１ｂ，６２ｂの周縁を取り囲む周縁領域（すなわち、図４（Ｂ）の表示器収容部７１においてハッチングを施している領域）において、光を透過することができるように構成された背面側透光部７１ｂを備える。このため、表示器収容部７１は、正面側透光部７１ａと背面側透光部７１ｂを介して、正面側ＦＳと背面側ＢＳとの間で光を透過することができるように構成されている。
【００４３】
また図３（Ａ）に示すように、正面側ＦＳにおいて長手方向ＬＤに沿って正面側表示面６１ａ，６２ａが整列して配置されるとともに、図３（Ｂ）に示すように、背面側ＢＳにおいて長手方向ＬＤに沿って背面側表示面６１ｂ，６２ｂが整列して配置される。
【００４４】
配線収容部７２は、円板状に形成されている表示器収容部７１の円周を覆うように円筒状に形成された部分である。そして配線収容部７２は、その内部に、上記の配線を収容するための空間が形成されている。
【００４５】
ランプ部１３は、遊技球が貯留された状態の球箱を表現した外観を有するランプ９１，９２，９３，９４，９５を備える。
ランプ９１は、７セグ表示部１２の上側において７セグ表示部１２と接触した状態で設置される。ランプ９２，９３，９４，９５は、７セグ表示部１１の長手方向に沿って７セグ表示部１２が７セグ表示部１１と接触していない側の端部において、７セグ表示部１２の円周方向に沿って配線収容部７２と接触した状態で設置される。
【００４６】
図５（Ａ）に示すように、７セグメント表示器２１〜２５，６１，６２は、正面側表示面２１ａ〜２５ａ，６１ａ，６２ａのセグメントＳＧ１，ＳＧ２，ＳＧ３，ＳＧ４，ＳＧ５，ＳＧ６，ＳＧ７を発光させるための発光体１１１，１１２，１１３，１１４，１１５，１１６，１１７を備える。発光体１１１〜１１７は、赤色、青色および緑色の発光素子を備える。なお図５（Ａ）では、７セグメント表示器２１〜２５，６１，６２を代表して７セグメント表示器２３を示す。同様に、７セグメント表示器２１〜２５，６１，６２は、背面側表示面２１ｂ〜２５ｂ，６１ｂ，６２ｂのセグメントＳＧ１，ＳＧ２，ＳＧ３，ＳＧ４，ＳＧ５，ＳＧ６，ＳＧ７を発光させるための発光体１１１，１１２，１１３，１１４，１１５，１１６，１１７を備える。
【００４７】
図５（Ｂ）に示すように、７セグメント表示器２１〜２５，６１，６２は、正面側ＦＳの発光体１１１〜１１７と、背面側ＢＳの発光体１１１〜１１７と、回路基板１１８と、正面側ＦＳの拡散板１１９と、背面側ＢＳの拡散板１１９と、正面側ＦＳの遮光壁１２０と、背面側ＢＳの遮光壁１２０とを備える。なお図５（Ｂ）では、７セグメント表示器２１〜２５，６１，６２を代表して７セグメント表示器２３を示す。また図５（Ｂ）では、正面側ＦＳの発光体１１１〜１１７のうち発光体１１２，１１３を示し、背面側ＢＳの発光体１１１〜１１７のうち発光体１１５，１１６を示している。
【００４８】
回路基板１１８は、回路基板１１８の正面側ＦＳの面上において正面側ＦＳの発光体１１１〜１１７を搭載し、回路基板１１８の背面側ＢＳの面上において背面側ＢＳの発光体１１１〜１１７を搭載する。そして回路基板１１８は、遊技機用表示装置１の外部から受信したデータに基づいて、正面側ＦＳの発光体１１１〜１１７および背面側ＢＳの発光体１１１〜１１７を点灯させたり消灯させたりする。
【００４９】
正面側ＦＳの拡散板１１９は、正面側ＦＳの発光体１１１〜１１７からの光を拡散して外部へ放射するための部材であり、正面側ＦＳの発光体１１１〜１１７と回路基板１１８を覆うように設置されている。背面側ＢＳの拡散板１１９は、背面側ＢＳの発光体１１１〜１１７からの光を拡散して外部へ放射するための部材であり、背面側ＢＳの発光体１１１〜１１７と回路基板１１８を覆うように設置されている。
【００５０】
正面側ＦＳの遮光壁１２０は、正面側ＦＳのセグメントＳＧ１〜ＳＧ７のそれぞれを区切るように、セグメントＳＧ１〜ＳＧ７の境界において回路基板１１８と拡散板１１９との間に設けられた部材である。背面側ＢＳの遮光壁１２０は、背面側ＢＳのセグメントＳＧ１〜ＳＧ７のそれぞれを区切るように、セグメントＳＧ１〜ＳＧ７の境界において回路基板１１８と拡散板１１９との間に設けられた部材である。これにより、１つのセグメントから発せられた光が他のセグメント内に進入するのを防止する。
【００５１】
図５（Ｃ）に示すように、配線収容部４２の内部には、上記の配線が表面に形成された配線基板１３０が収容されている。
図５（Ａ）に示すように、配線基板１３０と回路基板１１８との間に、正側電源供給線１３１、負側電源供給線１３２、入力側信号線１３３および出力側信号線１３４が配置される。回路基板１１８は、正側電源供給線１３１および負側電源供給線１３２を接続するためのコネクタ１４１と、入力側信号線１３３および出力側信号線１３４を接続するためのコネクタ１４２を備える。配線基板１３０は、正側電源供給線１３１および負側電源供給線１３２を接続するためのコネクタ１４３と、入力側信号線１３３および出力側信号線１３４を接続するためのコネクタ１４４を備える。
【００５２】
そして、正側電源供給線１３１の一端および負側電源供給線１３２の一端をコネクタ１４１に接続し、他端をコネクタ１４３に接続することによって、配線基板１３０から回路基板１１８へ電源供給が可能となる。また、入力側信号線１３３の一端および出力側信号線１３４の一端をコネクタ１４２に接続し、他端をコネクタ１４４に接続することによって、配線基板１３０から回路基板１１８へのデータ伝送が可能となる。
【００５３】
回路基板１１８は、図６に示すように、回路基板１１８の正面側ＦＳの面上において制御回路１５１を搭載し、背面側ＢＳの面上において制御回路１５２を搭載する。
配線基板１３０は、電源からの正電圧を印加するための正電圧配線１６１と、電源からの負電圧を印加するための負電圧配線１６２と、データを伝送するためのデータ配線１６３を備えている。
【００５４】
正電圧配線１６１および負電圧配線１６２はそれぞれ、連結部材４からランプ部１３へ向かって延びる１本の配線である。
データ配線１６３は、連結部材４からランプ部１３へ向かって延びる配線であり、少なくとも、入力側信号線１３３および出力側信号線１３４と接続される７箇所で断線している。データ配線１６３は、少なくとも上記の７箇所で入力側信号線１３３および出力側信号線１３４と接続されることにより１本のデータ伝送路を形成するように構成されている。
【００５５】
回路基板１１８の正面側ＦＳに搭載されている発光体１１１〜１１７のアノードは、正側電源供給線１３１に接続されている。これにより、正面側ＦＳの発光体１１１〜１１７のアノードに正電圧が印加される。
【００５６】
回路基板１１８の正面側ＦＳに搭載されている発光体１１１〜１１７のカソードは、制御回路１５１に接続されている。
制御回路１５１は、正側電源供給線１３１に接続されるとともに、負側電源供給線１３２に接続される。これにより、制御回路１５１は、電源から正電圧と負電圧が印加される。
【００５７】
同様に、回路基板１１８の背面側ＢＳに搭載されている発光体１１１〜１１７のアノードは、正側電源供給線１３１に接続され、カソードは、制御回路１５２に接続されている。制御回路１５２は、正側電源供給線１３１に接続されるとともに、負側電源供給線１３２に接続される。
【００５８】
制御回路１５２は、入力側信号線１３３に接続される。これにより、制御回路１５２は、データ配線１６３を介して外部からシリアル通信で送信されるデータを受信する。そして制御回路１５２は、受信したデータをシリアル通信で制御回路１５１へ送信する。
【００５９】
そして制御回路１５１は、制御回路１５２から送信されるデータをシリアル通信で受信する。また制御回路１５１は、出力側信号線１３４に接続される。これにより、制御回路１５１は、制御回路１５２から受信したデータを出力側信号線１３４を介してシリアル通信でデータ配線１６３へ送信する。
【００６０】
また制御回路１５１，１５２は、受信したデータに基づいて、セグメントＬＥＤ１０１〜１０７に流れる電流を制御して、セグメントＬＥＤ１０１〜１０７を点灯させたり消灯させたりする。
【００６１】
このように構成された遊技機用表示装置１は、複数の遊技機５００が配置された遊技機島６００内において遊技機５００毎に設置され、遊技機５００に関する情報を表示する。そして遊技機用表示装置１は、７つの７セグメント表示器２１，２２，２３，２４，２５，６１，６２と、正面側透光部４１ａ，７１ａおよび背面側透光部４１ｂ，７１ｂとを備える。
【００６２】
７セグメント表示器２１〜２５，６１，６２は、正面側ＦＳで数字を表示する正面側表示面２１ａ〜２５ａ，６１ａ，６２ａと、背面側ＢＳで数字を表示する背面側表示面２１ｂ〜２５ｂ，６１ｂ，６２ｂとを有して、正面側表示面２１ａ〜２５ａ，６１ａ，６２ａと背面側表示面２１ｂ〜２５ｂ，６１ｂ，６２ｂとで互いに異なる数字を表示することができるように構成される。正面側透光部４１ａ，７１ａおよび背面側透光部４１ｂ，７１ｂは、正面側表示面２１ａ〜２５ａ，６１ａ，６２ａおよび背面側表示面２１ｂ〜２５ｂ，６１ｂ，６２ｂの周縁を取り囲む周縁領域に配置されて、正面側ＦＳと背面側ＢＳとの間で光を透過することができるように構成される。
【００６３】
このように構成された遊技機用表示装置１は、正面側表示面２１ａ〜２５ａ，６１ａ，６２ａと背面側表示面２１ｂ〜２５ｂ，６１ｂ，６２ｂとを有している。このため、遊技機用表示装置１が遊技機島６００において遊技機５００が設置される設置面から突出するように遊技機５００の上方に取り付けられた場合に、遊技機５００で遊技する遊技者は、遊技機用表示装置１の正面側ＦＳと背面側ＢＳとの両方で、遊技機用表示装置１が表示する数字を視認することができる。
【００６４】
そして遊技機用表示装置１は、正面側表示面２１ａ〜２５ａ，６１ａ，６２ａと背面側表示面２１ｂ〜２５ｂ，６１ｂ，６２ｂの周縁を取り囲む周縁領域において正面側透光部４１ａ，７１ａおよび背面側透光部４１ｂ，７１ｂが配置されている。このため、遊技者が遊技機用表示装置１の正面側表示面２１ａ〜２５ａ，６１ａ，６２ａまたは背面側表示面２１ｂ〜２５ｂ，６１ｂ，６２ｂを見る場合に、遊技者は、正面側表示面２１ａ〜２５ａ，６１ａ，６２ａまたは背面側表示面２１ｂ〜２５ｂ，６１ｂ，６２ｂの周辺に配置された正面側透光部４１ａ，７１ａまたは背面側透光部４１ｂ，７１ｂを介して、遊技機用表示装置１よりも遠くの領域を視認することができる。これにより、遊技機用表示装置１は、遊技者の視界を妨げる面積の増大を抑制し、遊技者が抱く圧迫感を軽減することができる。
【００６５】
遊技機用表示装置１は、７つの７セグメント表示器２１，２２，２３，２４，２５，６１，６２を備える。そして、７つの７セグメント表示器２１〜２５，６１，６２は、それぞれの正面側表示面２１ａ〜２５ａ，６１ａ，６２ａが長手方向ＬＤに沿って配列されるとともに、それぞれの背面側表示面２１ｂ〜２５ｂ，６１ｂ，６２ｂが長手方向ＬＤに沿って配列されるように配置される。また正面側透光部４１ａ，７１ａおよび背面側透光部４１ｂ，７１ｂは、配列方向ＬＤに沿って互いに隣接する２つの７セグメント表示器の間に配置される。
【００６６】
このように構成された遊技機用表示装置１では、正面側透光部４１ａ，７１ａおよび背面側透光部４１ｂ，７１ｂは、長手方向ＬＤに沿って互いに隣接する２つの７セグメント表示器の間に配置されている。このため、遊技者が、長手方向ＬＤに沿って正面側透光部４１ａ，７１ａおよび背面側透光部４１ｂ，７１ｂの両側に配置されている２つの７セグメント表示器に表示されている数字を視認する場合には、この正面側透光部４１ａ，７１ａおよび背面側透光部４１ｂ，７１ｂも同時に視認することになる。これにより、遊技者は、正面側透光部４１ａ，７１ａおよび背面側透光部４１ｂ，７１ｂを介して、遊技機用表示装置１よりも遠くの領域を視認することができる。すなわち、遊技機用表示装置１は、遊技者が互いに隣接する２つの７セグメント表示器を視認する場合において遊技者の視界を妨げる面積の増大を抑制し、遊技者が抱く圧迫感を軽減することができる。
【００６７】
また遊技機用表示装置１では、７セグメント表示器２１〜２５，６１，６２が、正面側表示面２１ａ〜２５ａ，６１ａ，６２ａおよび背面側表示面２１ｂ〜２５ｂ，６１ｂ，６２ｂのそれぞれにおいて１桁の数字を７セグメントで表示する７セグメント表示器である。これにより、遊技機用表示装置１は、遊技機用表示装置１の正面側ＦＳと背面側ＢＳとで互いに同じ数字を表示することができる。
【００６８】
例えば、７セグ表示部１１における正面側ＦＳと背面側ＢＳの両面で「１２３４５」を表示する場合には、正面側表示面２１ａ，２２ａ，２３ａ，２４ａ，２５ａにそれぞれ「５」，「４」，「３」，「２」，「１」を表示させ、背面側表示面２１ｂ，２２ｂ，２３ｂ，２４ｂ，２５ｂにそれぞれ「１」，「２」，「３」，「４」，「５」を表示させればよい。
【００６９】
また、７セグ表示部１２における正面側ＦＳと背面側ＢＳの両面で「７８」を表示する場合には、正面側表示面６１ａ，６２ａにそれぞれ「８」，「７」を表示させ、背面側表示面６１ｂ，６２ｂにそれぞれ、「７」，「８」を表示させればよい。
【００７０】
また遊技機用表示装置１では、正面側表示面２１ａ〜２５ａ，６１ａ，６２ａには、開口部ＯＰ１，ＯＰ２が形成され、背面側表示面２１ｂ〜２５ｂ，６１ｂ，６２ｂには、開口部ＯＰ１，ＯＰ２が形成され、貫通孔ＴＨ１，ＴＨ２を備える。正面側表示面２１ａ〜２５ａ，６１ａ，６２ａの開口部ＯＰ１，ＯＰ２および背面側表示面２１ｂ〜２５ｂ，６１ｂ，６２ｂの開口部ＯＰ１，ＯＰ２は、７セグメントのうち４つのセグメントにより囲まれることにより形成されている。貫通孔ＴＨ１，ＴＨ２は、正面側表示面２１ａ〜２５ａ，６１ａ，６２ａの開口部ＯＰ１，ＯＰ２と背面側表示面２１ｂ〜２５ｂ，６１ｂ，６２ｂの開口部ＯＰ１，ＯＰ２との間で光を透過することができるように構成される。
【００７１】
このように構成された遊技機用表示装置１では、貫通孔ＴＨ１，ＴＨ２が、正面側表示面２１ａ〜２５ａ，６１ａ，６２ａの開口部ＯＰ１，ＯＰ２と背面側表示面２１ｂ〜２５ｂ，６１ｂ，６２ｂの開口部ＯＰ１，ＯＰ２との間で光を透過することができるように配置されている。このため、遊技者が、正面側表示面２１ａ〜２５ａ，６１ａ，６２ａまたは背面側表示面２１ｂ〜２５ｂ，６１ｂ，６２ｂに表示されている数字を視認する場合には、この貫通孔ＴＨ１，ＴＨ２も同時に視認することになり、遊技者は、貫通孔ＴＨ１，ＴＨ２を介して、遊技機用表示装置１よりも遠くの領域を視認することができる。すなわち、遊技機用表示装置１は、７セグメント表示器２１〜２５，６１，６２を視認する場合において遊技者の視界を妨げる面積の増大を更に抑制し、遊技者が抱く圧迫感を更に軽減することができる。
【００７２】
遊技機用表示装置１では、７セグメント表示器２１〜２５，６１，６２が、７セグメント表示器２１〜２５，６１，６２に表示させる表示情報を示すデータをシリアル通信で送受信するように構成された制御回路１５１，１５２を備え、データの送受信のために７セグメント表示器２１〜２５，６１，６２に接続される通信線が入力側信号線１３３および出力側信号線１３４の２本である。このように構成された遊技機用表示装置１は、データの送受信のために必要な通信線によって遊技者の視界を妨げる面積が増大するのを必要最低限に抑制し、遊技者が抱く圧迫感を更に軽減することができる。
【００７３】
以上説明した実施形態において、７セグメント表示器２１〜２５，６１，６２は表示部の一例に相当し、正面側透光部４１ａ，７１ａおよび背面側透光部４１ｂ，７１ｂは周縁透光部の一例に相当し、長手方向ＬＤは配列方向の一例に相当する。
【００７４】
また、正面側表示面２１ａ〜２５ａ，６１ａ，６２ａの開口部ＯＰ１，ＯＰ２は正面側開口部に相当し、背面側表示面２１ｂ〜２５ｂ，６１ｂ，６２ｂの開口部ＯＰ１，ＯＰ２は背面側開口部に相当し、貫通孔ＴＨ１，ＴＨ２は内側透光部に相当する。
【００７５】
また、制御回路１５１，１５２はデータ通信部に相当し、入力側信号線１３３および出力側信号線１３４は通信線に相当する。
以上、本開示の一実施形態について説明したが、本開示は上記実施形態に限定されるものではなく、種々変形して実施することができる。
【００７６】
例えば上記実施形態では、７セグメント表示器で数字を表示するものを示したが、画像を表示することができればよく、例えば１個または複数個の液晶表示装置を備えるようにしてもよい。
【００７７】
また上記実施形態では、図３（Ａ）で示す面を正面側ＦＳとし、図３（Ｂ）で示す面を背面側ＢＳとしたものを示したが、図３（Ａ）で示す面を背面側とし、図３（Ｂ）で示す面を正面側とするようにしてもよい。
【００７８】
また上記実施形態では、正面側表示面２１ａ〜２５ａまたは背面側表示面２１ｂ〜２５ｂの周縁を取り囲む周縁領域の全体に亘って、光を透過することができるように構成された正面側透光部４１ａまたは背面側透光部４１ｂを備えるものを示した。しかし、光を透過することができるように構成された正面側透光部または背面側透光部が、周縁領域の一部分に配置されるようにしてもよい。
【００７９】
また上記実施形態では、長手方向ＬＤに沿って複数の７セグメント表示器２１〜２５が配列されるものを示した。しかし、複数の７セグメント表示器の配列方向は、長手方向ＬＤに限定されるものではなく、短手方向に沿って配列するようにしてもよいし、二次元行列状に配列されるようにしてもよい。
【００８０】
上記各実施形態における１つの構成要素が有する機能を複数の構成要素に分担させたり、複数の構成要素が有する機能を１つの構成要素に発揮させたりしてもよい。また、上記各実施形態の構成の一部を、課題を解決できる限りにおいて省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００８１】
１…遊技機用表示装置、２１，２２，２３，２４，２５，６１，６２…７セグメント表示器、２１ａ，２２ａ，２３ａ，２４ａ，２５ａ，６１ａ，６２ａ…正面側表示面、２１ｂ，２２ｂ，２３ｂ，２４ｂ，２５ｂ，６１ｂ，６２ｂ…背面側表示面、４１ａ，７１ａ…正面側透光部、４１ｂ，７１ｂ…背面側透光部、５００…遊技機、６００…遊技機島
【図１】
0006636847.tif 000002
【図２】
0006636847.tif 000003
【図３】
0006636847.tif 000004
【図４】
0006636847.tif 000005
【図５】
0006636847.tif 000006
【図６】
0006636847.tif 000007